(57)【要約】      （修正有）【課題】可動子と固定子を同時に潤滑することができるとともに、全体の構造を簡単化することができ、全体の体積を減少することができるリニアガイドウェー用潤滑構造を提供する。【解決手段】直線状を呈するレール２１と、レールをスライドすることが可能なブロック本体３１と、レールをスライドすることが可能であり、ブロック本体の両端にそれぞれ設けられている二つの端部３２と、二つの端部とブロック本体の間にそれぞれ設けられている二つの転向溝部３３と、を有し、レールの長手方向に沿って往復に移動することが可能なブロック３０と、対応する端部内に位置する収容空間と、収容空間とそれに対応する転向溝部を連通する少なくとも一つの通路と、収容空間に収容され、少なくとも一端が収容空間から延びてレールに隣接し、一側が通路に隣接する少なくとも一つのオイル含有体４３と、を有する少なくとも一つの潤滑部４０と、を含む。【選択図】図１
0003194680.tif 000002
【実用新案登録請求の範囲】
【請求項１】
直線状を呈するレールと、
前記レールをスライドすることが可能なブロック本体と、前記レールをスライドすることが可能であり、前記ブロック本体の両端にそれぞれ設けられている二つの端部と、前記二つの端部と前記ブロック本体の間にそれぞれ設けられている二つの転向溝部と、を有し、前記レールの長手方向に沿って往復に移動することが可能なブロックと、
対応する前記端部内に位置する収容空間と、前記収容空間とそれに対応する前記転向溝部を連通する少なくとも一つの通路と、前記収容空間に収容され、少なくとも一端が前記収容空間から延びて前記レールに隣接し、一側が前記通路に隣接する少なくとも一つのオイル含有体と、を有する少なくとも一つの潤滑部と、
を含むことを特徴とするリニアガイドウェー用潤滑構造。
【請求項２】
前記各転向溝部は、それぞれ少なくとも一対の円弧形溝を有し、前記一対の円弧形溝は、それぞれ前記各端部の前記ブロックに対向する端面に設けられていることを特徴とする、請求項１に記載のリニアガイドウェー用潤滑構造。
【請求項３】
前記通路は、少なくとも二つ設けられており、それぞれ前記収容空間と前記円弧形溝を連通することを特徴とする、請求項２に記載のリニアガイドウェー用潤滑構造。
【請求項４】
前記各通路は、経路が円弧形を呈し、それぞれそれに対応する前記円弧形溝の壁を貫通することを特徴とする、請求項３に記載のリニアガイドウェー用潤滑構造。
【請求項５】
前記オイル含有体は、繊維の織物、不織布、又はポリマーを採用することを特徴とする、請求項１に記載のリニアガイドウェー用潤滑構造。
【考案の詳細な説明】
【技術分野】
【０００１】
本考案は、リニアガイドウェーに関し、特に、リニアガイドウェー用潤滑構造に関するものである。
【背景技術】
【０００２】
リニアガイドウェーの摺動可能な部品としては、摺動の過程中に、固定部品との間に適当な潤滑を得るための潤滑機構が、複数提案されている。例えば特許文献１の台湾発明Ｉ２３４６１７号、特許文献２の台湾発明Ｉ２５９８７４号及び特許文献３の台湾発明Ｉ２６１０９２号が提案されている。これらは、オイルケースが可動子であるブロックの側面に設けられており、オイルケースがブロックと共に移動する。これにより、移動の過程中に、オイルケースにおけるオイル含有子は、固定子であるレールと直接に接触して、潤滑油がオイル含有子を経由してレールに付着する。このように、可動子と固定子の間を潤滑する目的を達成することが可能である。
【０００３】
また、特許文献４の台湾実用新案Ｍ４３８５６０号が提案された。これは、ブロックの両端にあるオイル通路に潤滑油を注入して、転向溝内の玉を潤滑すると同時に、前記ブロックにオイルガイドを結合して、玉の転がり通路に前記オイルガイドを隣接し、前記オイルガイドの両端が前記ブロックの両端にあるオイル通路と連接する。これにより、外部からの潤滑油は、前記オイルガイドを経由して、前記転がり通路内の玉を持続的に潤滑することが可能である。
【０００４】
上記の従来の技術は、リニアガイドウェーの可動子又は固定子を潤滑することが可能であるが、潤滑可能な標的が一つだけであり、可動子と固定子を同時に潤滑することができない。このように、潤滑効果は高くない。また、上記の従来の技術は、その構造が複雑であり、オイルケースが可動子の外部に設けられているため、全体の体積が増加する問題がある。
【先行技術文献】
【特許文献】
【０００５】
【特許文献１】台湾発明Ｉ２３４６１７号公報
【特許文献２】台湾発明Ｉ２５９８７４号公報
【特許文献３】台湾発明Ｉ２６１０９２号公報
【特許文献４】台湾実用新案Ｍ４３８５６０号公報
【考案の概要】
【考案が解決しようとする課題】
【０００６】
本考案の主な目的は、可動子と固定子を同時に潤滑することが可能であり、リニアガイドウェーの寿命を延ばすことが可能なリニアガイドウェー用潤滑構造を提供することにある。
【０００７】
本考案の次の目的は、全体の構造を簡単化することが可能であり、全体の体積を減少することが可能なリニアガイドウェー用潤滑構造を提供することにある。
【課題を解決するための手段】
【０００８】
本考案のリニアガイドウェー用潤滑構造によると、直線状を呈するレールと、
レールをスライドすることが可能なブロック本体と、レールをスライドすることが可能であり、ブロック本体の両端にそれぞれ設けられている二つの端部と、二つの端部とブロック本体の間にそれぞれ設けられている二つの転向溝部と、を有し、レールの長手方向に沿って往復に移動することが可能なブロックと、
対応する端部内に位置する収容空間と、収容空間とそれに対応する転向溝部を連通する少なくとも一つの通路と、収容空間に収容され、少なくとも一端が収容空間から延びてレールに隣接し、一側が通路に隣接する少なくとも一つのオイル含有体と、を有する少なくとも一つの潤滑部と、
を含むことを特徴とする。
【０００９】
本考案のリニアガイドウェー用潤滑構造によると、各転向溝部は、それぞれ少なくとも一対の円弧形溝を有し、一対の円弧形溝は、それぞれ各端部のブロックに対向する端面に設けられていることを特徴とする。
【００１０】
本考案のリニアガイドウェー用潤滑構造によると、通路は、少なくとも二つあり、それぞれ収容空間と円弧形溝を連通することを特徴とする。
【００１１】
本考案のリニアガイドウェー用潤滑構造によると、各通路は、経路が円弧形を呈し、それぞれそれに対応する円弧形溝の壁を貫通することを特徴とする。
【００１２】
本考案のリニアガイドウェー用潤滑構造によると、オイル含有体は、繊維の織物、不織布、又はポリマーを採用することを特徴とする。
【考案の効果】
【００１３】
本考案のリニアガイドウェー用潤滑構造によれば、可動子と固定子を同時に潤滑することが可能であり、リニアガイドウェーの寿命を延ばすことが可能であり、全体の構造を簡単化することが可能であり、全体の体積を減少することが可能であるという効果を有する。
【図面の簡単な説明】
【００１４】
【図１】本考案の一実施例を示す分解斜視図である。
【図２】本考案の一実施例の組合済み状態を示す斜視図である。
【図３】図２における３-３線の断面図である。
【図４】図２における４-４線の断面図である。
【図５】図２における５-５線の断面図である。
【考案を実施するための形態】
【００１５】
以下、本考案の実施の形態を図面に基づいて説明する。
本実施例のリニアガイドウェー用潤滑構造１０は、リニアガイドウェー２０と、ブロック３０と、二つの潤滑部４０と、を含む。リニアガイドウェー２０とブロック３０は、従来のボール型のリニアガイドウェーによく似ており、ブロック３０内に配されている多数の玉がレール２０を転がることにより、ブロック３０がレール２０を移動することが可能である。このような技術は周知な技術であり、本考案の技術的な特徴ではないため、本考案の技術的な特徴に関する部分だけを説明する。
【００１６】
レール２０は、直線状を呈し、その断面形状が玉の転がりに適する。
【００１７】
ブロック３０は、レール２１をスライドすることが可能なブロック本体３１と、レール２１をスライドすることが可能であり、ブロック本体３１の両端にそれぞれ設けられている二つの端部３２と、二つの端部３２とブロック本体３１の間にそれぞれ設けられている二つの転向溝部３３と、を有し、レール２１の長手方向に沿って往復に移動することが可能である。
【００１８】
詳細的には、各端部３２は、適当の厚さを有するエンドプレートをそれぞれ有し、一側の端面３２１１がブロック本体３１の一側に配されており、端部プレート３２２がエンドプレート３２１の他側の端面３２１２に配されている。
【００１９】
各転向溝部３３は、玉が転がりながら転向するためのガイド空間の従来の技術によく似ており、前記ガイド空間の一部とする多数の溝３３１をそれぞれ有する。これらの溝３３１は、エンドプレート３２１の一側の端面３２１１に設けられている。
【００２０】
各潤滑部４０は、各端部３２にそれぞれ設けられており、一対の収容空間４１をそれぞれ有する。収容空間４１は、端部プレート３２２とエンドプレートの間に設けられており、各端部３２のレール２１に隣接する端面に開口４１１が形成されている。複数の通路４２は、経路が円弧形を呈し、それぞれそれに対応する円弧形溝３３１の壁を貫通し、それに対応する収容空間４１と連通する。ウールフェルトを材料としシート状を呈する二枚のオイル含有体４３は、それぞれ端部プレート３２２とエンドプレート３２１の間に挟まれており、それに対応する収容空間４１内に定位されており、側端４３１が各開口４１１から延びてレール２１の表面に接触する。
【００２１】
上記の構成により、リニアガイドウェー用潤滑構造１０は、各オイル含有体４３を介して、固定子であるレール２０と、可動子であるブロック３０内の玉とを潤滑することが可能である。具体的には、ブロック３０がレール２０を往復に移動するときに、各オイル含有体４３がブロック３０と共に移動するため、側端４３１がそれに接触するレール２１に潤滑油を塗布する。このように、レール２１を潤滑することが可能である。各オイル含有体４３に潤滑油が吸着されており、換言すると、重力、慣性、温度変化及び過度飽和などの原因により、前記潤滑油は、オイル含有体４３から流出して、各通路４２を経由して、転向溝部３３に流入することが可能である。このように、転向溝部３３を通過する玉の表面に前記潤滑油が付着されており、潤滑効果を得ることが可能である。
【００２２】
本考案に係るリニアガイドウェー用潤滑構造１０の主な技術的特徴は、潤滑油を提供するオイル含有子が位置する空間は、固定子と可動子との潤滑標的が位置する空間と連通し、そしてオイル含有子は潤滑標的に直接に接触して潤滑を行うことが可能であり、又はオイル含有子と潤滑標的が直接に接触せず、潤滑油の流動により、潤滑を行うことが可能である。換言すると、本実施例の潤滑油を送る手段は、接触方式と非接触方式を併用するが、もちろん、状況を見て、接触方式と非接触方式のうちの一つだけを利用してもよく、これも本考案の範囲内に含まれる。
【産業上の利用可能性】
【００２３】
本考案は、リニアガイドウェーに適用することができる。
【符号の説明】
【００２４】
１０  リニアガイドウェー用潤滑構造
２０  リニアガイドウェー
２１  レール
３０  ブロック
３１  ブロック本体
３２  端部
３３  転向溝部
４０  潤滑部
４１  収容空間
４２  通路
４３  オイル含有体
３２１  エンドプレート
３２２  端部プレート
３３１  溝
４１１  開口
４３１  側端
３２１１  一側の端面
３２１２  他側の端面
【図１】
0003194680.tif 000003
【図２】
0003194680.tif 000004
【図３】
0003194680.tif 000005
【図４】
0003194680.tif 000006
【図５】
0003194680.tif 000007